(57)【要約】【課題】確実に正確に固定状態にして線心の絶縁体剥き加工を行うことができる絶縁電線の線心の絶縁体剥き装置を提供する。【解決手段】絶縁電線の線心の絶縁体剥き装置は、線心の絶縁体の剥きを行うとき、絶縁電線を固定するための絶縁電線固定具と、絶縁電線固定具で固定した絶縁電線の線心を所定の圧力をかけながら把持し、かつ撚られた方向とは逆方向に回転させ、回転戻しを行い線芯が横一列になるようにほぐすヨジリアームと、線心が横一列になったとき、絶縁体を剥く剥き刃とを備える。ヨジリアームに回転、回転戻しを行う代わりに、絶縁電線の線心を所定の圧力をかけながら把持した状態で振動を与えてもよい。【選択図】  図１
2011250579.tif 000002
【特許請求の範囲】
【請求項１】
線心の絶縁体の剥きを行うとき、絶縁電線を固定するための絶縁電線固定具と、
前記絶縁電線固定具で固定した絶縁電線の線心を所定の圧力をかけながら把持し、かつ撚られた方向とは逆方向に回転させ、回転戻しを行い、又は絶縁電線の線心を所定の圧力をかけながら把持した状態で振動を与えて線心が横一列になるようにほぐすヨジリアームと、
線心が横一列になったとき、絶縁体を剥く剥き刃と、
を有することを特徴とする絶縁電線の線心の絶縁体剥き装置。
【請求項２】
請求項１記載の絶縁電線の線心の絶縁体剥き装置において、前記絶縁電線固定具は絶縁電線の大きさに応じて調整可能であることを特徴とする絶縁電線の線心の絶縁体剥き装置。
【請求項３】
請求項１記載の絶縁電線の線心の絶縁体剥き装置において、前記ヨジリアームは線心の先端を位置決めする位置決め板を有することを特徴とする絶縁電線の線心の絶縁体剥き装置。
【請求項４】
請求項３記載の絶縁電線の線心の絶縁体剥き装置において、前記位置決め板は位置が調整可能であることを特徴とする絶縁電線の線心絶縁体剥き装置。
【請求項５】
請求項１記載の絶縁電線の線心の絶縁体剥き装置において、前記線心が横一列になった状態を検出するセンサを有することを特徴とする絶縁電線の線心絶縁体剥き装置。
【請求項６】
請求項５記載の絶縁電線の線心の絶縁体剥き装置において、前記センサはヨジリアームの２つの対向するアームの間隔を検出するセンサであることを特徴とする絶縁電線の線心の絶縁体剥き装置。
【発明の詳細な説明】
【技術分野】
【０００１】
本発明は、キャブタイヤコード又はキャブタイヤケーブルの線心の絶縁体剥き装置に関し、具体的には、キャブタイヤコード又はキャブタイヤケーブルで、撚られた線心をほぐさずに絶縁体の剥き加工を行う装置に関する。なお、キャブタイヤコード又はキャブタイヤケーブルを以下絶縁電線と言う。
【背景技術】
【０００２】
従来、絶縁電線は外装を剥いた状態で、撚られた線心を指でほぐし、線心同士が重ならないように指先で保持して剥き装置によって加工を行っていた。
【発明の概要】
【発明が解決しようとする課題】
【０００３】
しかし、上記の方法では線心の位置が安定せずに、線心同士が重なり、上下の剥き刃が絶縁体に食い込む際に、片側または両側の線心の銅線を切断してしまうことがあった。さらに、この線心をほぐす作業は人の指先で行うために、摩擦によって皮膚に炎症や痛みを生じさせ、長時間の作業には厳しいものであった。
【０００４】
したがって、本発明の目的は、前述のような人の指先に頼る不確実な線心の固定に代えて、確実に正確に固定状態にして線心の絶縁体剥き加工を行うことができる剥き装置を提供することにある。
【課題を解決するための手段】
【０００５】
本発明の絶縁電線の線心の絶縁体剥き装置は、線心の絶縁体の剥きを行うとき、絶縁電線を固定するための絶縁電線固定具と、前記絶縁電線固定具で固定した絶縁電線の線心を所定の圧力をかけながら把持し、かつ撚られた方向とは逆方向に回転させ、回転戻しを行い、又は絶縁電線の線心を所定の圧力をかけながら把持した状態で振動を与えて線心が横一列になるようにほぐすヨジリアームと、線心が横一列になったとき、絶縁体を剥く剥き刃と、を有することを特徴とする。
【発明の効果】
【０００６】
本発明によれば、確実に正確に固定状態にして線心の絶縁体剥き加工を行うことができる剥き装置が得られる。特に、本発明では、絶縁電線の撚られた線心が自動的にほぐされ、剥きができることで作業が単純になり、線心をほぐしたり、横一列に保持したりする手作業が必要なくなり、熟練工でなくても取り扱うことができる。また、線心同士が重なった状態で加工しないことで、加工精度が格段向上する。
【図面の簡単な説明】
【０００７】
【図１】本発明の剥き装置全体を示す概略図である。
【図２】本発明の剥き加工の工程を示す図である。
【図３】本発明の剥き加工の主要部分を説明するための拡大図である。
【発明を実施するための形態】
【０００８】
最初に、図１を参照すると、絶縁電線の線心の絶縁体剥き装置は、絶縁電線を固定する絶縁電線固定具１と、線心の先端の位置決め板２と、この位置決め板２を含み、線心をほぐし横一列に並べるための対向して、例えば、上下に配置した２つのアームからなるヨジリアーム３と、対向して、例えば、上下に配置した、線心の絶縁体を剥き取る２つの刃からなる剥き刃４と、さらにヨジリアーム３、剥き刃４を可動する可動部５とを有している。
【０００９】
ここで、絶縁電線固定具１には、絶縁電線の太さが変わった場合に、絶縁電線のセンターの調整ができる位置調整ボルト（図示せず）が設けられており、汎用性を持たせている。また、位置決め板２は、位置が調整できるようになっており、図面上、左方または右方に移動させて固定でき、剥きの長さが変更可能であるように構成されている。また、ヨジリアーム３の２つの対向するアームは絶縁電線をクランプした（把持した）状態で間隔を狭める方向に所定の圧力がかけられ、線心のほぐし中に、線心を横一列に並べようとする力を働かせる。そして、ヨジリアーム３は線心が横一列になる位置まで把持し、その状態に達したときに、２つのアームの間隔を検出するセンサ（図示せず）を備えている。さらに、剥き刃４の対向する２つの刃の間隔も線心の大きさに合せて調整可能になっている。
【００１０】
次に、図２を参照して、線心の絶縁体剥き装置の工程を説明する。図２ａに示すように、絶縁電線が位置決め板２の先端に至るまで絶縁電線固定具１に挿入され（矢印Ａ）、絶縁電線固定具１によって固定される（矢印Ｂ）。
【００１１】
次に、図２ｂに示すように、絶縁電線の線心はヨジリアーム４の２つのアームによってクランプされ（矢印Ｃ）、この状態で、２つのアームに間隔を狭める方向に所定の圧力が掛けられる。
【００１２】
次に、図２ｃに示すように、線心を把持したヨジリアーム４は撚られた方向とは逆の方向に回転させられる。このとき、線心はほぐされながら回転し、図２ｄに示すように、例えば、約９０度の位置に達するとほぐれていく。
【００１３】
次に、図２ｅに示すように、回転戻しを行う。回転、回転戻しを繰返し行うと、重なり合った線心が横一列になる。線心が横一列になった状態をセンサ（図示せず）で検出する。
【００１４】
次に、センサが線心の横一列状態を検出すると、図２ｆに示すように、剥き刃４の２つの刃が上下から線心の絶縁体だけを剥くように、絶縁体に食い込む（矢印Ｄ）。
【００１５】
最後に、ヨジリアーム３、剥き刃４を同時に矢印Ｅの方向に移動させ、絶縁体を剥く。
【００１６】
図３ａから図３ｄは、図２ｂから図２ｅに対応する拡大図であり、線心が横一列になる工程を拡大して示している。
【００１７】
（他の実施の形態）
前述の実施の形態では、ヨジリアームが回転と回転戻しを行い、線心を横一列にする構成を説明したが、回転と回転戻しを行う代わりに、線心を把持したヨジリアームに振動を与え、線心の撚りをほぐし、横一列にしてもよい。
【符号の説明】
【００１８】
１  絶縁電線固定具
２  位置決め板
３  ヨジリアーム
４  剥き刃
５  可動部
【図１】
2011250579.tif 000003
【図２】
2011250579.tif 000004
【図３】
2011250579.tif 000005
【手続補正書】
【提出日】平成22年7月1日(2010.7.1)
【手続補正１】
【補正対象書類名】明細書
【補正対象項目名】００１１
【補正方法】変更
【補正の内容】
【００１１】
次に、図２ｂに示すように、絶縁電線の線心はヨジリアーム３の２つのアームによってクランプされ（矢印Ｃ）、この状態で、２つのアームに間隔を狭める方向に所定の圧力が加えられる。
【手続補正２】
【補正対象書類名】明細書
【補正対象項目名】００１２
【補正方法】変更
【補正の内容】
【００１２】
次に、図２ｃに示すように、線心を把持したヨジリアーム３は撚られた方向とは逆の方向に回転させられる。このとき、線心はほぐされながら回転し、図２ｄに示すように、例えば、約９０度の位置に達するとほぐれていく。